(57)【特許請求の範囲】
【請求項１】
移動端末が、通信装置にＬｏｃａｔｉｏｎ  Ｕｐｄａｔｅ  Ｒｅｑｕｅｓｔ信号を送信し、
前記通信装置が、ＨＬＲ／ＨＳＳ（Ｈｏｍｅ  Ｌｏｃａｔｉｏｎ  Ｒｅｇｉｓｔｅｒ／Ｈｏｍｅ  Ｓｕｂｓｃｒｉｂｅｒ  Ｓｅｒｖｅｒ）からユーザのデータを取得し、
前記通信装置が、前記ユーザのデータにフラグが存在するか否かによって、前記移動端末をＩＭＳ（ＩＰ  Ｍｕｌｔｉｍｅｄｉａ  Ｓｕｂｓｙｓｔｅｍ）に登録するかどうかを判定することを特徴とする通信方法。
【請求項２】
請求項１記載の判定する方法を行って、
前記通信装置が、Ｓ−ＣＳＣＦ（Ｓｅｒｖｉｎｇ−Ｃａｌｌ  Ｓｅｒｖｅｒ  Ｃｏｎｔｒｏｌ  Ｆｕｎｃｔｉｏｎ）に向けて第１のＲｅｇｉｓｔｅｒ信号を送信し、
前記Ｓ−ＣＳＣＦが、付加サービスＡＳ（Ａｐｐｌｉｃａｔｉｏｎ  Ｓｅｒｖｅｒ）に第２のＲｅｇｉｓｔｅｒ信号を送信し、前記移動端末を前記ＩＭＳに登録することを特徴とする通信方法。
【請求項３】
請求項１または請求項２に記載の方法であって、
前記通信装置が、Ｍｏｂｉｌｅ  Ｓｗｉｔｃｈｉｎｇ  Ｃｅｎｔｅｒであることを特徴とする通信方法。
【請求項４】
移動端末と、通信装置と、ＨＬＲ／ＨＳＳ（Ｈｏｍｅ  Ｌｏｃａｔｉｏｎ  Ｒｅｇｉｓｔｅｒ／Ｈｏｍｅ  Ｓｕｂｓｃｒｉｂｅｒ  Ｓｅｒｖｅｒ）とを備え、
前記移動端末が、前記通信装置にＬｏｃａｔｉｏｎ  Ｕｐｄａｔｅ  Ｒｅｑｕｅｓｔ信号を送信し、
前記通信装置が、前記ＨＬＲ／ＨＳＳからユーザのデータを取得し、
前記通信装置が、前記ユーザのデータにフラグが存在するか否かによって、前記移動端末をＩＭＳ（ＩＰ  Ｍｕｌｔｉｍｅｄｉａ  Ｓｕｂｓｙｓｔｅｍ）に登録するかどうかを判定することを特徴とする通信システム。
【請求項５】
請求項４に記載の通信システムであって、
さらに、Ｓ−ＣＳＣＦ（Ｓｅｒｖｉｎｇ−Ｃａｌｌ  Ｓｅｒｖｅｒ  Ｃｏｎｔｒｏｌ  Ｆｕｎｃｔｉｏｎ）と、付加サービスＡＳ（Ａｐｐｌｉｃａｔｉｏｎ  Ｓｅｒｖｅｒ）とを備え、
前記通信装置が、前記Ｓ−ＣＳＣＦに第１のＲｅｇｉｓｔｅｒ信号を送信し、
前記Ｓ−ＣＳＣＦが、前記付加サービスＡＳに第２のＲｅｇｉｓｔｅｒ信号を送信し、前記移動端末を前記ＩＭＳに登録することを特徴とする通信システム。
【請求項６】
請求項４または請求項５に記載の通信システムであって、
前記通信装置が、Ｍｏｂｉｌｅ  Ｓｗｉｔｃｈｉｎｇ  Ｃｅｎｔｅｒであることを特徴とする通信システム。
【請求項７】
移動端末と接続する通信装置であって、
前記移動端末からＬｏｃａｔｉｏｎ  Ｕｐｄａｔｅ  Ｒｅｑｕｅｓｔ信号を受信した場合、ＨＬＲ／ＨＳＳ（Ｈｏｍｅ  Ｌｏｃａｔｉｏｎ  Ｒｅｇｉｓｔｅｒ／Ｈｏｍｅ  Ｓｕｂｓｃｒｉｂｅｒ  Ｓｅｒｖｅｒ）からユーザのデータを取得し、前記ユーザのデータにフラグが存在するか否かによって、前記移動端末をＩＭＳ（ＩＰ  Ｍｕｌｔｉｍｅｄｉａ  Ｓｕｂｓｙｓｔｅｍ）に登録するかどうかを判定することを特徴とする通信装置。
【請求項８】
請求項７に記載の通信装置であって、
前記移動端末を前記ＩＭＳに登録する判定をした場合、Ｓ−ＣＳＣＦ（Ｓｅｒｖｉｎｇ−Ｃａｌｌ  Ｓｅｒｖｅｒ  Ｃｏｎｔｒｏｌ  Ｆｕｎｃｔｉｏｎ）に向けてＲｅｇｉｓｔｅｒ信号を送信することによって、前記移動端末を前記ＩＭＳに登録させることを特徴とする通信装置。
【請求項９】
請求項７または請求項８に記載の通信装置であって、
前記通信装置が、Ｍｏｂｉｌｅ  Ｓｗｉｔｃｈｉｎｇ  Ｃｅｎｔｅｒであることを特徴とする通信装置。
【発明の詳細な説明】
【技術分野】
【０００１】
本発明は通信方法及びそれを用いる通信システム並びに通信装置に関し、特に回線交換網からＩＰ（Ｉｎｔｅｒｎｅｔ  Ｐｒｏｔｏｃｏｌ：インタネットプロトコル）を用いたネットワークへの移行におけるサービスの提供に関する。
【背景技術】
【０００２】
現在、回線交換網からＩＰを用いたネットワークへの移行が行われており、その中で、携帯電話システムにおいても、回線交換システムから、ＩＰを用いたシステムへの移行がなされている。
【０００３】
この移行においては、ＩＭＳ（ＩＰ  Ｍｕｌｔｉｍｅｄｉａ  ｓｕｂｓｙｓｔｅｍ）／ＭＭＤ（Ｍｕｌｔｉ−Ｍｅｄｉａ  Ｄｏｍａｉｎ）のホーム網（Ｈｏｍｅ  Ｎｅｔｗｏｒｋ）において、回線交換信号からＩＭＳ／ＭＭＤで扱われる信号へ変換する方法が取られている。
【０００４】
携帯電話システムにおいては、回線交換網での制御とＩＭＳ／ＭＭＤでの制御との大きな違いとして、位置登録、付加サービスの実行装置が、回線交換では移動端末が在圏する回線交換網にある装置によって行われ、ＩＭＳ／ＭＭＤにおいてはホーム網にあるＳＩＰ（Ｓｅｓｓｉｏｎ  Ｉｎｉｔｉａｔｉｏｎ  Ｐｒｏｔｏｃｏｌ）サーバ、アプリケーションサーバによって行われている（例えば、非特許文献１参照）。
【０００５】
従来、回線交換網とＩＭＳ／ＭＭＤでの変換は、図１１に示すような構成をとり、ホームＩＰ網６００への入り口の境界装置［ＭＧＣＦ（Ｍｅｄｉａ  Ｇａｔｅｗａｙ  Ｃｏｎｔｒｏｌ  Ｆｕｎｃｔｉｏｎ）３２及びＭＧＷ（ｅｄｉａ  ＧａｔｅＷａｙ）３７］によって回線交換信号からＩＭＳ／ＭＭＤ信号への変換がなされている。
【０００６】
この構成の場合、移動端末３０の位置登録情報管理及び付加サービス実行装置はＭＳＣ（Ｍｏｂｉｌｅ  Ｓｗｉｔｃｈｉｎｇ  Ｃｅｎｔｒｅ）３１によって行われ、移動端末３０からの位置情報及び付加サービス制御情報は移動端末３０とネットワーク装置（ＭＳＣ３１）との間のＵＮＩ（Ｕｓｅｒ−Ｎｅｔｗｏｒｋ  Ｉｎｔｅｒｆａｃｅ：ユーザネットワーク間インタフェース）４０１を介してやり取りされる。
【先行技術文献】
【非特許文献】
【０００７】
【非特許文献１】“Ｍｏｂｉｌｅ  Ｒａｄｉｏ  Ｉｎｔｅｒｆａｃｅ  Ｌａｙｅｒ  ３  Ｓｕｐｐｌｅｍｅｎｔａｒｙ  Ｓｅｒｖｉｃｅｓ  Ｓｐｅｃｉｆｉｃａｔｉｏｎ；Ｇｅｎｅｒａｌ  Ａｓｐｅｃｔｓ”［３ＧＰＰ（３ｒｄ  Ｇｅｎｅｒａｔｉｏｎ  Ｐａｒｔｎｅｒｓｈｉｐ  Ｐｒｏｊｅｃｔ）  ＴＳ  ２４．０１０  Ｖ６．０．０（２００４−１２）］
【発明の概要】
【発明が解決しようとする課題】
【０００８】
しかしながら、上述した従来の携帯電話システムでは、中継回線交換網５００でのネットワーク間（在圏ＭＳＣ３１とＭＧＣＦ３２との間）のＮＮＩ（Ｎｅｔｗｏｒｋ−Ｎｅｔｗｏｒｋ  Ｉｎｔｅｒｆａｃｅ）５０１を介した信号では、ＵＮＩ４０１で通信されている情報を伝送する能力がない。このため、回線交換網４００からＩＭＳ／ＭＭＤでの変換において、従来の回線交換システムにて提供されたサービスと等価のサービスをＩＭＳ／ＭＭＤで実現することが難しくなっている。
【０００９】
そこで、本発明の目的は上記の問題点を解消し、回線交換で提供されているサービスと等価なサービスをＩＭＳ／ＭＭＤにて実現することができる通信方法及びそれを用いる通信システム並びに通信装置を提供することにある。
【課題を解決するための手段】
【００１０】
本発明による通信方法は、移動端末が、通信装置にＬｏｃａｔｉｏｎ  Ｕｐｄａｔｅ  Ｒｅｑｕｅｓｔ信号を送信し、
前記通信装置が、ＨＬＲ／ＨＳＳ（Ｈｏｍｅ  Ｌｏｃａｔｉｏｎ  Ｒｅｇｉｓｔｅｒ／Ｈｏｍｅ  Ｓｕｂｓｃｒｉｂｅｒ  Ｓｅｒｖｅｒ）からユーザのデータを取得し、
前記通信装置が、前記ユーザのデータにフラグが存在するか否かによって、前記移動端末をＩＭＳ（ＩＰ  Ｍｕｌｔｉｍｅｄｉａ  Ｓｕｂｓｙｓｔｅｍ）に登録するかどうかを判定することを特徴とする。
【００１１】
本発明による通信システムは、移動端末と、通信装置と、ＨＬＲ／ＨＳＳ（Ｈｏｍｅ  Ｌｏｃａｔｉｏｎ  Ｒｅｇｉｓｔｅｒ／Ｈｏｍｅ  Ｓｕｂｓｃｒｉｂｅｒ  Ｓｅｒｖｅｒ）とを備え、
前記移動端末が、前記通信装置にＬｏｃａｔｉｏｎ  Ｕｐｄａｔｅ  Ｒｅｑｕｅｓｔ信号を送信し、
前記通信装置が、前記ＨＬＲ／ＨＳＳからユーザのデータを取得し、
前記通信装置が、前記ユーザのデータにフラグが存在するか否かによって、前記移動端末をＩＭＳ（ＩＰ  Ｍｕｌｔｉｍｅｄｉａ  Ｓｕｂｓｙｓｔｅｍ）に登録するかどうかを判定することを特徴とする。
【００１２】
本発明による通信装置は、移動端末と接続する通信装置であって、
前記移動端末からＬｏｃａｔｉｏｎ  Ｕｐｄａｔｅ  Ｒｅｑｕｅｓｔ信号を受信した場合、ＨＬＲ／ＨＳＳ（Ｈｏｍｅ  Ｌｏｃａｔｉｏｎ  Ｒｅｇｉｓｔｅｒ／Ｈｏｍｅ  Ｓｕｂｓｃｒｉｂｅｒ  Ｓｅｒｖｅｒ）からユーザのデータを取得し、前記ユーザのデータにフラグが存在するか否かによって、前記移動端末をＩＭＳ（ＩＰ  Ｍｕｌｔｉｍｅｄｉａ  Ｓｕｂｓｙｓｔｅｍ）に登録するかどうかを判定することを特徴とする。
【００１３】
すなわち、本発明の回線交換ユーザエージェントシステムは、移動端末が接続した在圏網にある装置にて、回線交換網での移動端末の位置登録情報／状態を用いてＩＭＳ（ＩＰ  Ｍｕｌｔｉｍｅｄｉａ  ｓｕｂｓｙｓｔｅｍ）／ＭＭＤ（Ｍｕｌｔｉ−Ｍｅｄｉａ  Ｄｏｍａｉｎ）への登録を行い、移動端末からのＵＮＩ（Ｕｓｅｒ−Ｎｅｔｗｏｒｋ  Ｉｎｔｅｒｆａｃｅ：ユーザネットワーク間インタフェース）信号をＩＭＳ／ＭＭＤで扱われる信号に組み込んで（埋め込んで）ホーム網のサービス処理装置へ転送することで、従来の回線交換でのサービスと等価のサービスをＩＭＳ／ＭＭＤにて実現することが可能となる。
【００１４】
ここで、在圏網とは、回線交換網でのＵＮＩ信号とＩＭＳ／ＭＭＤで扱われる信号とをそれぞれ処理可能に構成されたネットワークである。つまり、移動端末が接続した在圏網にある装置とは、回線交換網でのＵＮＩ信号とＩＭＳ／ＭＭＤで扱われる信号とをそれぞれ処理可能な通信装置である。
【００１５】
本発明の回線交換ユーザエージェントシステムでは、携帯電話システムにおける回線交換信号をＩＭＳ／ＭＭＤで扱う信号に変換する際に、回線交換網での位置登録状態に応じてＩＭＳ／ＭＭＤでの登録処理を行い、回線交換信号をＩＭＳ／ＭＭＤで扱う信号に変換するとともに、必要に応じて移動端末からのＵＮＩ信号をＩＭＳ／ＭＭＤ側に転送し、ＩＭＳ／ＭＭＤにおいて移動端末に要求される信号を移動端末に代わって生成することによって、従来の回線交換サービスと同等のサービスをＩＭＳ／ＭＭＤにて提供することが可能となる。
【００１６】
より具体的に説明すると、本発明の回線交換ユーザエージェントシステムでは、ＭＳＣ（Ｍｏｂｉｌｅ  Ｓｗｉｔｃｈｉｎｇ  Ｃｅｎｔｒｅ）／ＶＬＲ（Ｖｉｓｉｔｏｒ  Ｌｏｃａｔｉｏｎ  Ｒｅｇｉｓｔｅｒ）とＣＳＵＡ（回線交換ユーザエージェント）とを組み合わせた拡張通信装置が、移動端末の在圏網における回線交換での位置情報状態より、Ｓ−ＣＳＣＦ（Ｓｅｒｖｉｎｇ−Ｃａｌｌ  Ｓｅｒｖｅｒ  Ｃｏｎｔｒｏｌ  Ｆｕｎｃｔｉｏｎ）に対して、ＩＭＳ／ＭＭＤで扱われる信号を送信し、ＩＭＳ／ＭＭＤにおける登録処理を行っている。
【００１７】
ＩＭＳ／ＭＭＤにおける登録処理後、拡張通信装置は、通常回線交換呼処理（発信着信）について、回線交換信号をＩＭＳ／ＭＭＤでの信号に変換する。また、拡張通信装置は、移動端末からの付加サービス制御信号を含んだＵＮＩ信号を受信した場合、信号種別によってその付加サービス制御信号を、ＩＭＳ／ＭＭＤで扱われるＳＩＰ（Ｓｅｓｓｉｏｎ  Ｉｎｉｔｉａｔｉｏｎ  Ｐｒｏｔｏｃｏｌ）信号を利用して、つまり、付加サービス制御信号を、ＩＭＳ／ＭＭＤで扱われる信号に組み込んでそのままＳ−ＣＳＣＦへ転送する。
【００１８】
ＵＮＩ信号が組み込まれたＳＩＰ信号は、Ｓ−ＣＳＣＦでのユーザプロファイルに基づいたフィルタ処理によって、付加サービスＡＳ（アプリケーションサーバ）へ転送され、付加サービスＡＳにて移動端末に対する付加サービスが実行される。
【００１９】
このようにして、本発明の回線交換ユーザエージェントシステムでは、回線交換信号での付加サービス制御信号を、ＩＭＳ／ＭＭＤで扱われるＳＩＰ信号を利用して、ホーム網に存在するサービス実行装置である付加サービスＡＳへ転送しているため、回線交換で提供されているサービスと等価なサービスをＩＭＳ／ＭＭＤにて提供可能となる。また、転送された信号に関して、付加サービスＡＳは、既存回線交換装置の資産を転用して構成することが可能となる。
【００２０】
したがって、本発明の回線交換ユーザエージェントシステムでは、従来の回線交換での付加サービスの信号にてＩＭＳ／ＭＭＤにおいて付加サービス処理を行うため、回線交換で提供されているサービスと同等のサービスを実現することが可能となる。
【００２１】
また、本発明の回線交換ユーザエージェントシステムでは、付加サービスＡＳにおいて、従来の回線交換での信号を扱うため、拡張通信装置の付加サービス処理部分を共通して利用することが可能であり、リソースを効率的に活用して、ＩＰを用いたシステムに移行することが可能となる。
【発明の効果】
【００２２】
本発明は、上記のような構成及び動作とすることで、回線交換で提供されているサービスと等価なサービスをＩＭＳ／ＭＭＤにて実現することができるという効果が得られる。
【図面の簡単な説明】
【００２３】
【図１】本発明の第１の実施の形態による回線交換ユーザエージェントシステムの構成を示すブロック図である。
【図２】図１の拡張通信装置の構成を示すブロック図である。
【図３】図１の付加サービスＡＳの構成を示すブロック図である。
【図４】本発明の第１の実施の形態におけるＲｅｇｉｓｔｒａｔｉｏｎ手順を示すシーケンスチャートである。
【図５】本発明の第１の実施の形態における発着信規制サービス起動手順を示すシーケンスチャートである。
【図６】本発明の第１の実施の形態における発信規制動作を示すシーケンスチャートである。
【図７】本発明の第２の実施の形態による回線交換ユーザエージェントシステムの構成を示すブロック図である。
【図８】本発明の第３の実施の形態による回線交換ユーザエージェントシステムの構成を示すブロック図である。
【図９】本発明の第３の実施の形態における発着信規制サービス起動手順を示すシーケンスチャートである。
【図１０】本発明の第４の実施の形態における発着信規制サービス起動手順を示すシーケンスチャートである。
【図１１】従来のネットワーク構成を示すブロック図である。
【図１２】本発明のＶＣＣを用いたアプローチの一例を示す図である。
【図１３】本発明のｅＭＳＣ−Ｓｅｒｖｅｒ／ＭＧＣＦの相互動作の一例を示す図である。
【図１４】本発明のｅＭＳＣ−Ｓｅｒｖｅｒのアーキテクチャの一例を示す図である。
【図１５】本発明のｅＭＳＣ−Ｓｅｒｖｅｒのアーキテクチャへの移行の一例を示す図である。
【発明を実施するための形態】
【００２４】
次に、本発明の実施の形態について図面を参照して説明する。
【００２５】
図１は本発明の第１の実施の形態による回線交換ユーザエージェントシステムの構成を示すブロック図である。図１において、本発明の第１の実施の形態による回線交換ユーザエージェントシステムは、拡張通信装置１とＭＧＷ（Ｍｅｄｉａ  ＧａｔｅＷａｙ）２とが配置された在圏網１００と、Ｉ−ＣＳＣＦ（Ｉｎｔｅｒｒｏｇａｔｉｎｇ−Ｃａｌｌ  Ｓｅｓｓｉｏｎ  Ｃｏｎｔｒｏｌ  Ｆｕｎｃｔｉｏｎ）４とＳ−ＣＳＣＦ（Ｓｅｒｖｉｎｇ−Ｃａｌｌ  Ｓｅｓｓｉｏｎ  Ｃｏｎｔｒｏｌ  Ｆｕｎｃｔｉｏｎ）５とＨＬＲ（Ｈｏｍｅ  Ｌｏｃａｔｉｏｎ  Ｒｅｇｉｓｔｅｒ）／ＨＳＳ（Ｈｏｍｅ  Ｓｕｂｓｃｒｉｂｅｒ  Ｓｅｒｖｅｒ）６と付加サービスＡＳ（アプリケーションサーバ）７とが配置されたホーム網（Ｈｏｍｅ  Ｎｅｔｗｏｒｋ）２００と、ＩＰ（Ｉｎｔｅｒｎｅｔ  Ｐｒｏｔｏｃｏｌ）網３００と、移動端末３とを含んで構成されている。
【００２６】
ここで、在圏網１００は、回線交換網でのＵＮＩ（Ｕｓｅｒ−Ｎｅｔｗｏｒｋ  Ｉｎｔｅｒｆａｃｅ：ユーザネットワーク間インタフェース）信号とＩＭＳ（ＩＰ  Ｍｕｌｔｉｍｅｄｉａ  ｓｕｂｓｙｓｔｅｍ）／ＭＭＤ（Ｍｕｌｔｉ−Ｍｅｄｉａ  Ｄｏｍａｉｎ）で扱われる信号とをそれぞれ処理可能に構成されたネットワークである。つまり、移動端末３が接続した在圏網１００にある拡張通信装置１は、回線交換網でのＵＮＩ信号とＩＭＳ／ＭＭＤで扱われる信号とをそれぞれ処理可能な通信装置である。
【００２７】
拡張通信装置１は従来のＭＳＣ（Ｍｏｂｉｌｅ  Ｓｗｉｔｃｈｉｎｇ  Ｃｅｎｔｅｒ）／ＶＬＲ（Ｖｉｓｉｔｏｒ  Ｌｏｃａｔｉｏｎ  Ｒｅｇｉｓｔｅｒ）１１とＣＳＵＡ（回線交換ユーザエージェント）１２とを組み合わせた装置であり、回線交換での移動端末３の位置登録に応じてＳ−ＣＳＣＦ５に対して、ＩＭＳ／ＭＭＤでの登録処理を行う。
【００２８】
拡張通信装置１は、ＩＭＳ／ＭＭＤにおいて、移動端末３に要求される機能（信号の送受信等）を移動端末３に代わって実行し、回線交換とＩＭＳ／ＭＭＤでの動作差分を吸収するために、移動端末３からの回線交換での呼制御信号をＩＭＳ／ＭＭＤで扱われる信号に変換する。
【００２９】
また、拡張通信装置１は、移動端末３からのＵＮＩ信号の内、付加サービス制御を含んだ回線交換信号については、ＩＭＳ／ＭＭＤ信号に組み込んで（埋め込んで）Ｓ−ＣＳＣＦ５へ転送する。Ｓ−ＣＳＣＦ５から付加サービスＡＳ７には、ユーザのプロファイルに基づきフィルタ処理にて付加サービス制御を含んだ回線交換信号が組み込まれたＩＭＳ／ＭＭＤ信号が転送される。
【００３０】
ここで、ＵＮＩ信号の付加サービス制御を含んだ回線交換信号をＩＭＳ／ＭＭＤ信号に組み込む方法としては、例えば、ＳＩＰメッセージのメッセージボディを用いる方法等が考えられる。ＳＩＰメッセージのメッセージボディは、ＳＩＰ以外で定義された情報で、ＳＩＰメッセージの構成上ではオプションとなる。メッセージボディをＳＩＰメッセージに付加する方式としては、例えば、電子メールにおいて添付ファイル等をメッセージに付加して送付する場合に用いられるＭＩＭＥ（Ｍｕｌｔｉｐｕｒｐｏｓｅ  Ｉｎｔｅｒｎｅｔ  Ｍａｉｌ  Ｅｘｔｅｎｓｉｏｎｓ）が利用される。
【００３１】
さらに、拡張通信装置１は、移動端末３に対するＩＭＳ／ＭＭＤへの変換処理を起動するかどうかについて、例えば、ＨＬＲ／ＨＳＳ６からのユーザプロファイルに新規フラグを定義し、そのフラグが存在するか否かによって判定する。
【００３２】
ＭＧＷ２は、回線交換網ＡＴＭ（Ａｓｙｎｃｈｒｏｎｏｕｓ  Ｔｒａｎｓｆｅｒ  Ｍｏｄｅ）／ＳＴＭ（Ｓｙｎｃｈｒｏｎｏｕｓ  Ｔｒａｎｓｆｅｒ  Ｍｏｄｅ）上のメディア信号ＡＭＲ（Ａｄａｐｔｉｖｅ  Ｍｕｌｔｉ  Ｒａｔｅ）をＩＰ上のメディア信号ＡＭＲへ変換するメディア変換システムである。
【００３３】
つまり、ＭＧＷ２は、図１１に示す在圏回線交換網４００内のＭＧＷ３８とホームＩＰ網５００内のＭＧＷ３７との機能を併せ持つＭＧＷである。このように、ＭＧＷ２に、従来のＭＧＷ３８とＭＧＷ３７との機能を併せ持たせることで、回線交換でのユーザメディアデータをＩＭＳ／ＭＭＤで扱われるメディアデータに直接変換することが可能となる。したがって、従来は在圏回線交換網４００内のＭＧＷ３８とホームＩＰ網５００内のＭＧＷ３７とを経て得ていたメディアデータを直接ＭＧＷ２から受取ることができるため、経路の最適化が可能となる。
【００３４】
付加サービスＡＳ７は、拡張通信装置１によってＩＭＳ／ＭＭＤで扱われる信号にて転送されてきた移動端末３からのＵＮＩ信号を解析し、その解析結果にしたがって付加サービスを行う装置である。また、付加サービスＡＳ７は、サービス実行完了等の移動端末３への応答のＵＮＩ信号、移動端末３へ通知するＵＮＩ信号を生成し、ＩＭＳ／ＭＭＤで扱われる信号を用いて拡張通信装置１へＳ−ＣＳＣＦ５経由で送信する機能を持つ。
【００３５】
図２は図１の拡張通信装置１の構成を示すブロック図である。図２において、拡張通信装置１は、ＭＡＰ（Ｍｏｂｉｌｅ  Ａｐｐｌｉｃａｔｉｏｎ  Ｐａｒｔ）／ＣＡＰ［ＣＡＭＥＬ（Ｃｕｓｔｏｍｉｓｅｄ  Ａｐｐｌｉｃａｔｉｏｎ  ｆｏｒ  Ｍｏｂｉｌｅ  ｎｅｔｗｏｒｋ  Ｅｎｈａｎｃｅｄ  Ｌｏｇｉｃ）  Ａｐｐｌｉｃａｔｉｏｎ  Ｐａｒｔ］信号処理部１１４、ＩＳＵＰ［ＩＳＤＮ（Ｉｎｔｅｇｒａｔｅｄ  Ｓｅｒｖｉｃｅｓ  Ｄｉｇｉｔａｌ  Ｎｅｔｗｏｒｋ）  Ｕｓｅｒ  Ｐａｒｔ］信号処理部１１３、ＭＳＣ制御部１１２、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）  Ｌａｙｅｒ  ３信号処理部１１１からなる従来のＭＳＣ／ＶＬＲ部１１と、ＳＩＰ  Ｕｓｅｒ  Ａｇｅｎｔ部１２１、ＳＩＰ信号処理部１２２からなる回線交換ＵＡ（Ｕｓｅｒ  Ａｇｅｎｔ）部１２とを組み合わせた構成となっている。
【００３６】
ＭＳＣ制御部１１２は呼状態管理ＣＣ（Ｃａｌｌ  Ｃｏｎｔｒｏｌ）処理部１１２１と、位置登録管理ＭＭ（Ｍｏｂｉｌｉｔｙ  Ｍａｎａｇｅｍｅｎｔ）処理部１１２２と、付加サービス管理ＳＳ（Ｓｕｐｐｌｅｍｅｎｔａｒｙ  Ｓｅｒｖｉｃｅ）処理部１１２３とを備えている。
【００３７】
ＭＥＧＡＣＯ（Ｍｅｇａｃｏ／Ｈ．２４８）信号処理部１３はＭＳＣ／ＶＬＲ部１１と回線交換ＵＡ部１２とに対して共通な機能として構成される。この構成の上で、ＭＳＣ／ＶＬＲ部１１内のＭＳＣ制御部１１２と回線交換ＵＡ部１２のＳＩＰ  Ｕｓｅｒ  Ａｇｅｎｔ部１２１とが内部連携して、回線交換、ＩＭＳ／ＭＭＤの両方における登録／呼制御／付加サービス処理（ＭＭ／ＣＣ／ＳＳ）を行う。
【００３８】
図３は図１の付加サービスＡＳ７の構成を示すブロック図である。図３において、付加サービスＡＳ７は、ＩＭＳ／ＭＭＤにおける付加サービス管理を行うＳＩＰ  Ｕｓｅｒ  Ａｇｅｎｔ７１と、透過転送された信号を処理解析する付加サービス管理ＳＳ処理部７２と、Ｄｉａｍｅｔｅｒ信号処理部７４と、ＳＩＰ信号処理部７３とから構成されている。付加サービスＡＳ７は、この構成によって、従来、ＭＳＣでの付加サービス管理ＳＳ処理部１１２３を付加サービス管理ＳＳ処理部７２として利用することが可能となる。
【００３９】
図４は本発明の第１の実施の形態におけるＲｅｇｉｓｔｒａｔｉｏｎ手順を示すシーケンスチャートであり、図５は本発明の第１の実施の形態における発着信規制サービス起動手順を示すシーケンスチャートであり、図６は本発明の第１の実施の形態における発信規制動作を示すシーケンスチャートである。これら図１〜図６を参照して本発明の第１の実施の形態による回線交換ユーザエージェントシステムの動作について説明する。
【００４０】
図４を例に本発明の第１の実施の形態におけるＲｅｇｉｓｔｒａｔｉｏｎ手順について説明する。
【００４１】
拡張通信装置１はＭＳＣ／ＶＬＲ部１１にて、移動端末３からのＬｏｃａｔｉｏｎ  Ｕｐｄａｔｅ  Ｒｅｑｕｅｓｔ信号（図４のａ１）を契機に、Ｕｐｄａｔｅ  Ｌｏｃａｔｉｏｎ信号（図４のａ２）、Ｉｎｓｅｒｔ  Ｓｕｂｓｃｒｉｂｅｒ  Ｄａｔａ信号（図４のａ３）、Ｉｎｓｅｒｔ  Ｓｕｂｓｃｒｉｂｅｒ  Ｄａｔａ  Ａｃｋ信号（図４のａ４）、Ｕｐｄａｔｅ  Ｌｏｃａｔｉｏｎ  Ａｃｋ信号（図４のａ５）の送受信（従来処理）にてＨＬＲ／ＨＳＳ６からユーザのプロファイルを取得し、ＶＬＲ（Ｖｉｓｉｔｏｒ  Ｌｏｃａｔｉｏｎ  Ｒｅｇｉｓｔｅｒ）を生成し、Ｌｏｃａｔｉｏｎ  Ｕｐｄａｔｅ  Ａｃｃｅｐｔ信号（図４のａ６）を移動端末３に送信する。
【００４２】
その後、拡張通信装置１は、ＨＬＲ６からダウンロードしたユーザプロファイルを確認し（図４のａ７）、ＩＭＳ／ＭＭＤへの変換処理を起動するかどうかを判定する。拡張通信装置１は、ＩＭＳ／ＭＭＤへの変換処理の起動と判定すると、移動端末３からのＬｏｃａｔｉｏｎ  Ｕｐｄａｔｅ  Ｒｅｑｕｅｓｔ信号（図４のａ１）の要素及びＨＬＲ６からのＩｎｓｅｒｔ  Ｓｕｂｓｃｒｉｂｅｒ  Ｄａｔａ  Ａｃｋ信号（図４のａ４）の要素から、ＳＩＰ  Ｒｅｇｉｓｔｅｒ信号（図４のａ８）を生成してＳ−ＣＳＣＦ５へ送信し、ＩＭＳ／ＭＭＤにおける移動端末３の登録処理を行う。
【００４３】
Ｓ−ＣＳＣＦ５は、ＨＳＳ６からユーザプロファイルをＤｉａｍｅｔｅｒ  ＳＡＲ（Ｓｅｒｖｅｒ  Ａｓｓｉｇｎｍｅｎｔ  Ｒｅｑｕｅｓｔ）／ＳＡＡ（Ｓｅｒｖｅｒ  Ａｓｓｉｇｎｍｅｎｔ  Ａｎｓｗｅｒ）信号の送受信によって取得し（図４のａ９，ａ１０）、その取得したユーザプロファイルによって、付加サービスＡＳ７へ登録処理を行う（図４のａ１２〜ａ１４）。
【００４４】
付加サービスＡＳ７は、Ｓ−ＣＳＣＦ５からＳＩＰ  Ｒｅｇｉｓｔｅｒ信号（図４のａ１２）を受信すると、必要に応じて移動端末３のユーザプロファイルをＤｉａｍｅｔｅｒ  ＵＤＲ（Ｕｓｅｒ  Ｄａｔａ  Ｒｅｑｕｅｓｔ）／ＵＤＡ（Ｕｓｅｒ  Ｄａｔａ  Ａｎｓｗｅｒ）信号（図４のａ１３）の送受信によってＨＳＳ６から取得する。付加サービスＡＳ７は、移動端末３のプロファイルにしたがって登録処理を行うと、付加サービスの通知を受け取ることを可能とするため、Ｓ−ＣＳＣＦ５を介して拡張通信装置１に対し、ＳＩＰ  ＳＵＢＳＣＲＩＢＥ信号（図４のａ１５，ａ１６）を送信する。
【００４５】
また、上記のａ７の処理での判定がＩＭＳ／ＭＭＤへの変換処理の起動でない場合、及びＩＭＳ／ＭＭＤへの登録処理（図４のａ８〜ａ１４）が失敗した場合、拡張通信装置１は、従来のＭＳＣとしての動作を行い、従来の回線交換サービスを継続する。
【００４６】
続いて、図５を参照して、本発明の第１の実施の形態において、代表的な回線交換サービスである発着信規制サービスの起動手順について説明する。
【００４７】
ユーザの端末操作によって、移動端末３はＣＳ（Ｃｉｒｃｕｉｔ  Ｓｗｉｔｃｈ）での発着信規制サービス起動を示すＲｅｇｉｓｔｅｒ信号（図５のｂ１）を拡張通信装置１に送信する。拡張通信装置１は、ＣＳでのＲｅｇｉｓｔｅｒ信号を受信すると、信号種別によって付加サービスであることを解析し、該当移動端末３がＩＭＳ／ＭＭＤでの登録処理を完了している場合において、付加サービスＡＳ７に対し、ＣＳでのＲｅｇｉｓｔｅｒ信号をＳＩＰ  Ｎｏｔｉｆｙ信号（図５のｂ２）に組み込んで（埋め込んで）Ｓ−ＣＳＣＦ５に送信する。
【００４８】
Ｓ−ＣＳＣＦ５はＣＳでのＲｅｇｉｓｔｅｒ信号が組み込まれたＳＩＰ  Ｎｏｔｉｆｙ信号（図５のｂ２）を受信すると、付加サービスＡＳ７に対してＣＳでのＲｅｇｉｓｔｅｒ信号が組み込まれたＳＩＰ  Ｎｏｔｉｆｙ信号（図５のｂ３）を転送する。
【００４９】
付加サービスＡＳ７はＣＳでのＲｅｇｉｓｔｅｒ信号が組み込まれたＳＩＰ  Ｎｏｔｉｆｙ信号（図５のｂ３）を受信すると、ＣＳでのＲｅｇｉｓｔｅｒ信号を解析し、発着信規制サービスを起動し、ＨＳＳ６へＤｉａｍｅｔｅｒ  ＰＵＲ（Ｐｒｏｆｉｌｅ  Ｕｐｄａｔｅ  Ｒｅｑｕｅｓｔ）信号（図５のｂ４）を用いてプロファイル更新手順によってサービスの起動、すなわちサービス状態の変更を通知する。
【００５０】
ＨＳＳ６での処理が完了し、Ｄｉａｍｅｔｅｒ  ＰＵＡ（Ｐｒｏｆｉｌｅ  Ｕｐｄａｔｅ  Ａｎｓｗｅｒ）信号（図５のｂ５）にて完了が通知されると、付加サービスＡＳ７は、Ｓ−ＣＳＣＦ５を介して拡張通信装置１に対し、付加サービスの起動完了を示すＣＳ信号を組み込んだＳＩＰ  ２００  ＯＫ信号（図５のｂ６，ｂ７）を送信する。
【００５１】
拡張通信装置１は、付加サービスの起動完了を示すＣＳ信号を組み込んだＳＩＰ  ２００  ＯＫ信号（図５のｂ７）を受信すると、ＳＩＰ信号内にあるＣＳ信号（Ｒｅｌｅａｓｅ  Ｃｏｍｐｌｅｔｅ）（図５のｂ８）を移動端末３に対して送信する。本実施の形態では、この手順によって付加サービスの起動が行われる。
【００５２】
さらに、図６を参照して本発明の第１の実施の形態における発信規制処理について説明する。
【００５３】
拡張通信装置１は、移動端末Ａから移動端末Ｂへの発信信号であるＳＥＴＵＰ信号（図６のｃ１）を受信すると、ＩＭＳ／ＭＭＤでの登録処理が完了している場合において、ＣＳ信号のＳＥＴＵＰ信号（図６のｃ１）からＩＭＳ／ＭＭＤ信号のＳＩＰ  ＩＮＶＩＴＥ信号（図６のｃ２）への変換を行い、Ｓ−ＣＳＣＦ５へ送信する。
【００５４】
Ｓ−ＣＳＣＦ５は、ＳＩＰ  ＩＮＶＩＴＥ信号（図６のｃ２）を受信すると、付加サービスＡＳ７に対し、ＳＩＰ  ＩＮＶＩＴＥ信号（図６のｃ３）を転送する。
【００５５】
付加サービスＡＳ７は、ＳＩＰ  ＩＮＶＩＴＥ信号（図６のｃ３）を受信すると、必要に応じて移動端末ＡのユーザプロファイルをＤｉａｍｅｔｅｒ  ＵＤＲ／ＵＤＡ信号（図６のｃ４）の送受信によってＨＳＳ６から取得する。付加サービスＡＳ７は、移動端末Ａのプロファイルにしたがって発信規制を判定し、発信規制であることを示すＣＳ信号を組み込んだＳＩＰ  ４０３  Ｆｏｒｂｉｄｄｅｎ信号（図６のｃ５）をＳ−ＣＳＣＦ５へ送信する。
【００５６】
Ｓ−ＣＳＣＦ５は、移動端末Ａのプロファイルより在圏の回線交換網１００に接続していることを判定し、発信規制であることを示すＣＳ信号が組み込まれたＳＩＰ  ４０３  Ｆｏｒｂｉｄｄｅｎ信号（図６のｃ６）を拡張通信装置１へ転送する。拡張通信装置１は、ＣＳ信号が包含されたＳＩＰ信号（図６のｃ６）を受信すると、ＳＩＰ信号内にあるＣＳ信号（ＤＩＳＣＯＮＥＣＴ）（図６のｃ７）を移動端末Ａに対して送信する。本実施の形態では、この手順によって発信規制が行われる。
【００５７】
このように、本実施の形態では、従来の回線交換での付加サービスの信号にてＩＭＳ／ＭＭＤにおいて付加サービス処理を行うため、回線交換で提供されているサービスと同等のサービスを実現することができる。
【００５８】
また、本実施の形態では、付加サービスＡＳ７が、従来の回線交換での信号を扱うため、拡張通信装置１の付加サービス処理部分を共通して利用することが可能であり、リソースを効率的に活用して、ＩＰを用いたシステムへの移行を実現することができる。
【００５９】
図７は本発明の第２の実施の形態による回線交換ユーザエージェントシステムの構成を示すブロック図である。図７において、本発明の第２の実施の形態による回線交換ユーザエージェントシステムは、拡張通信装置１が、移動端末３に代わり、ＩＭＳ／ＭＭＤにおいて要求される機能・動作を行うため、在圏網１００の拡張通信装置１とホーム網２００のＩ−ＣＳＣＦ４との間にＰ−ＣＳＣＦ（Ｐｒｏｘｙ−Ｃａｌｌ  Ｓｅｓｓｉｏｎ  Ｃｏｎｔｒｏｌ  Ｆｕｎｃｔｉｏｎ）８を配置するネットワーク構成をとった以外は、上記の本発明の第１の実施の形態による回線交換ユーザエージェントシステムと同様の構成となっており、同一構成要素には同一符号を付してある。
【００６０】
また、本発明の第２の実施の形態による回線交換ユーザエージェントシステムは、Ｐ−ＣＳＣＦ８を配置した以外は、上記の本発明の第１の実施の形態による回線交換ユーザエージェントシステムと同様の動作を行い、同様の効果を奏する。つまり、本発明の第２の実施の形態では、Ｐ−ＣＳＣＦ８を用いるシステムにも対応可能なことを示している。尚、拡張通信装置１にＰ−ＣＳＣＦ８の機能を持たせることも可能である。
【００６１】
図８は本発明の第３の実施の形態による回線交換ユーザエージェントシステムの構成を示すブロック図である。図８において、本発明の第３の実施の形態による回線交換ユーザエージェントシステムは、ホーム網２００内の付加サービスＡＳ７を在圏網１００内の拡張通信装置１に直接接続するようにした以外は図１に示す本発明の第１の実施の形態による回線交換ユーザエージェントシステムと同様の構成となっており、同一構成要素には同一符号を付してある。また、本発明の第３の実施の形態による回線交換ユーザエージェントシステムでは、本発明の第１の実施の形態による回線交換ユーザエージェントシステムと発着信規制サービス起動手順が異なる以外は上記と同様の処理を行う。
【００６２】
本実施の形態では、この発着信規制サービス起動手順において、拡張通信装置１が付加サービスＡＳ７との間で直接通信を行うため、使用するプロトコルもＨＴＴＰ（Ｈｙｐｅｒ  Ｔｅｘｔ  Ｔｒａｎｓｆｅｒ  Ｐｒｏｔｏｃｏｌ）となる。
【００６３】
図９は本発明の第３の実施の形態における発着信規制サービス起動手順を示すシーケンスチャートである。この図９を参照して、本発明の第３の実施の形態において、代表的な回線交換サービスである発着信規制サービスの起動手順について説明する。
【００６４】
ユーザの端末操作によって、移動端末３はＣＳでの発着信規制サービス起動を示すＲｅｇｉｓｔｅｒ信号（図９のｄ１）を拡張通信装置１に送信する。拡張通信装置１は、ＣＳでのＲｅｇｉｓｔｅｒ信号を受信すると、信号種別によって付加サービスであることを解析し、該当移動端末３がＩＭＳ／ＭＭＤでの登録処理を完了している場合において、付加サービスＡＳ７に対し、ＣＳでのＲｅｇｉｓｔｅｒ信号をＨＴＴＰ  ＰＵＴ信号（図９のｄ２）に組み込んで（埋め込んで）送信する。
【００６５】
付加サービスＡＳ７はＣＳでのＲｅｇｉｓｔｅｒ信号が組み込まれたＨＴＴＰ  ＰＵＴ信号（図９のｄ２）を受信すると、ＣＳでのＲｅｇｉｓｔｅｒ信号を解析し、発着信規制サービスを起動し、ＨＳＳ６へＤｉａｍｅｔｅｒ  ＰＵＲ信号（図９のｄ３）を用いてプロファイル更新手順によってサービスの起動、すなわちサービス状態の変更を通知する。
【００６６】
ＨＳＳ６での処理が完了し、Ｄｉａｍｅｔｅｒ  ＰＵＡ信号（図９のｄ４）にて完了が通知されると、付加サービスＡＳ７は、拡張通信装置１に対し、付加サービスの起動完了を示すＣＳ信号を組み込んだＨＴＴＰ  ２００  ＯＫ信号（図９のｄ５）を送信する。
【００６７】
拡張通信装置１は、付加サービスの起動完了を示すＣＳ信号を組み込んだＨＴＴＰ  ２００  ＯＫ信号（図９のｄ５）を受信すると、ＨＴＴＰ信号内にあるＣＳ信号（Ｒｅｌｅａｓｅ  Ｃｏｍｐｌｅｔｅ）（図９のｄ６）を移動端末３に対して送信する。本実施の形態では、この手順によって付加サービスの起動が行われる。
【００６８】
上述したように、本実施の形態では、本発明の第１の実施の形態におけるＳＩＰと同様に、ＭＩＭＥによってＣＳ信号を組み込むことが可能となる。よって、本実施の形態でも、本発明の第１の実施の形態と同様の効果が得られる。
【００６９】
本発明の第４の実施の形態による回線交換ユーザエージェントシステムは、上記の本発明の第３の実施の形態と同様に、ホーム網２００内の付加サービスＡＳ７を在圏網１００内の拡張通信装置１に直接接続するようにしている。本実施の形態では、発着信規制サービス起動手順において、拡張通信装置１が付加サービスＡＳ７との間で直接通信を行うため、使用するプロトコルをＸＣＡＰ（Ａｎ  Ｅｘｔｅｎｓｉｂｅ  Ｍａｒｋｕｐ  Ｌａｎｇｕａｇｅ（ＸＭＬ）  Ｃｏｎｆｉｇｕｒａｔｉｏｎ  Ａｃｃｅｓｓ  Ｐｒｏｔｏｃｏｌ）となっている。
【００７０】
図１０は本発明の第４の実施の形態における発着信規制サービス起動手順を示すシーケンスチャートである。この図１０を参照して、本発明の第４の実施の形態において、代表的な回線交換サービスである発着信規制サービスの起動手順について説明する。
【００７１】
ユーザの端末操作によって、移動端末３はＣＳでの発着信規制サービス起動を示すＲｅｇｉｓｔｅｒ信号（図１０のｅ１）を拡張通信装置１に送信する。拡張通信装置１は、ＣＳでのＲｅｇｉｓｔｅｒ信号を受信すると、そのＳＳ信号を翻訳し（図１０のｅ２）、該当移動端末３がＩＭＳ／ＭＭＤでの登録処理を完了している場合において、付加サービスＡＳ７に対し、ＣＳでのＲｅｇｉｓｔｅｒ信号をＨＴＴＰ  ＰＵＴ信号（図１０のｅ３）に組み込んで（埋め込んで）送信する。ここで、ＳＳ信号とは、例えば、ＣＳ信号に含まれる付加サービス用の信号のことをいう。
【００７２】
付加サービスＡＳ７はＣＳでのＲｅｇｉｓｔｅｒ信号が組み込まれたＨＴＴＰ  ＰＵＴ信号（図１０のｅ３）を受信すると、ＣＳでのＲｅｇｉｓｔｅｒ信号を解析し、発着信規制サービスを起動し、ＨＳＳ６へＤｉａｍｅｔｅｒ  ＰＵＲ信号（図１０のｅ４）を用いてプロファイル更新手順によってサービスの起動、すなわちサービス状態の変更を通知する。
【００７３】
ＨＳＳ６での処理が完了し、Ｄｉａｍｅｔｅｒ  ＰＵＡ（Ｐｒｏｆｉｌｅ  Ｕｐｄａｔｅ  Ａｎｓｗｅｒ）信号（図１０のｅ５）にて完了が通知されると、付加サービスＡＳ７は、拡張通信装置１に対し、付加サービスの起動完了を示すＣＳ信号を組み込んだＨＴＴＰ  ２００  ＯＫ信号（図１０のｅ６）を送信する。
【００７４】
拡張通信装置１は、付加サービスの起動完了を示すＣＳ信号を組み込んだＨＴＴＰ  ２００  ＯＫ信号（図１０のｅ６）を受信すると、ＨＴＴＰ信号内にあるＣＳ信号（Ｒｅｌｅａｓｅ  Ｃｏｍｐｌｅｔｅ）（図１０のｅ７）を移動端末３に対して送信する。本実施の形態では、この手順によって付加サービスの起動が行われる。
【００７５】
上述したように、本実施の形態では、本発明の第１の実施の形態におけるＳＩＰと同様に、ＭＩＭＥによってＣＳ信号を組み込むことが可能となる。よって、本実施の形態でも、本発明の第１の実施の形態と同様の効果が得られる。
【００７６】
この発明は、ＭＧＣＦ（Ｍｅｄｉａ  Ｇａｔｅｗａｙ  Ｃｏｎｔｒｏｌ  Ｆｕｎｃｔｉｏｎ）機能をともなったＭＳＣ（Ｍｏｂｉｌｅ  ｓｅｒｖｉｃｅ  Ｓｗｉｔｃｈｉｎｇ  Ｃｅｎｔｅｒ）−Ｓｅｒｖｅｒ（ｅＭＳＣ−Ｓｅｒｖｅｒ）となることで、ＭＳＣ−Ｓｅｒｖｅｒの相互作用を定義するという提案である。このｅＭＳＣ−Ｓｅｒｖｅｒは、回線交換網からの呼信号を中央処理網へのＶｏＩＰ（Ｖｏｉｃｅ  ｏｖｅｒ  Ｉｎｔｅｒｎｅｔ  Ｐｒｏｔｏｃｏｌ）呼信号へと翻訳して伝送し、また逆の動作もする。そして、ｅＭＳＣ−Ｓｅｒｖｅｒは、呼信号をＩＭＳにおけるＴＡＳ（Ｔｅｌｅｐｈｏｎｙ  Ａｐｐｌｉｃａｔｉｏｎ  Ｓｅｒｖｅｒ）に送る。これは既存ＵＥへの互換性、及びＡｌｌ−ＩＰネットワークへの移行を十分に保障する。
【００７７】
現在のリリース７  ＶＣＣ（Ｖｏｉｃｅ  Ｃａｌｌ  Ｃｏｎｔｉｎｕｉｔｙ）は、ＶＭＳＣ（Ｖｉｓｉｔｅｄ  Ｍｏｂｉｌｅ  Ｓｗｉｔｃｈ  Ｃｅｎｔｅｒ）がＶＣＣ  ＡＳ（Ａｐｐｌｉｃａｔｉｏｎ  Ｓｅｒｖｉｃｅ）へＣＡＭＥＬ（Ｃｕｓｔｏｍｉｚｅｄ  Ａｐｐｌｉｃａｔｉｏｎ  ｆｏｒ  Ｍｏｂｉｌｅ．ｎｅｔｗｏｒｋ  Ｅｎｈａｎｃｅｄ  Ｌｏｇｉｃ）処理をトリガとして、迂回させることによって呼信号を送るコンセプトを用いている。同様のコンセプトが、ＩＭＳへの処理の集約における付加サービスにも使用される（図１２参照）。ＶＭＳＣのＣＡＭＥＬはＭＯ（Ｍｏｂｉｌｅ  Ｏｒｉｇｉｎａｔｉｏｎ）呼信号とＭＴ（Ｍｏｂｉｌｅ  Ｔｅｒｍｉｎａｔｉｏｎ）呼信号との両方で用いられる。ｇｓｍＳＣＦ（ＧＳＭ  Ｓｅｒｖｉｃｅ  Ｃｏｎｔｒｏｌ  Ｆｕｎｃｔｉｏｎ）はホーム網のＴＡＳからＩＭＲＮ（ＩＰ  Ｍｕｌｔｉｍｅｄｉａ  Ｒｏｕｔｉｎｇ  Ｎｕｍｂｅｒ）を要求し、またＶＭＳＣはそのＩＭＲＮにしたがってＴＡＳへ呼信号を送信する。その後の付加サービスにおいて、呼はＴＡＳが基点となって制御される。
【００７８】
ＵＥからの付加サービスの要求は、Ｕｔ、ｖ３のようなインタフェースを経由してＴＡＳへ直接送信される。上記の解決法は中央制御網への影響がないという利点がある一方で、端末への影響があり、既にある端末でサービスを受けることができない。
【００７９】
ＩＭＳでの集中処理における付加サービスを実現するためのもう一つの解決法は、ＩＳＵＰ／ＳＩＰ（Ｓｅｓｓｉｏｎ  Ｉｎｉｔｉａｔｉｏｎ  Ｐｒｏｔｏｃｏｌ）の相互接続のためのＭＧＣＦの機能を用いてＭＳＣ−Ｓｅｒｖｅｒを拡張し（ｅＭＳＣ−Ｓｅｒｖｅｒとする）、ＩＭＳにおいて全ての呼信号を制御する。ｅＭＳＣ−Ｓｅｒｖｅｒは、相当するＣＳ  ａｃｃｅｓｓ  ｎｅｔｗｏｒｋにおける発着信信号に関与する。端末のＣＳ発信信号は、ｅＭＳＣ−ＳｅｒｖｅｒでＶｏＩＰ呼へ翻訳され、また、付加サービス制御信号は、ＩＭＳにて処理される。着信呼信号は、ＣＳ  ａｃｃｅｓｓ  ｎｅｔｗｏｒｋへ送信するため、ＭＧＷ／ｅＭＳＣ−Ｓｅｒｖｅｒへ導かれる。その場合でも、着信信号はＩＭＳシステムで制御されている。移動端末がＰＳ（Ｐａｃｋｅｔ  Ｓｗｉｔｃｈ）圏内のみいる場合、ｅＭＳＣ−Ｓｅｒｖｅｒは関与しない。
【００８０】
図１３はローミングの仕方の一例を示している。端末が呼信号を発信した場合、端末からのＣＳ信号はＶｅＭＳＣ−Ｓｅｒｖｅｒ（Ｖｉｓｉｔｅｄ  ｅＭＳＣ−Ｓｅｒｖｅｒ）でＳＩＰ信号へと変換され、在圏網のＰ−ＣＳＣＦ（Ｐｒｏｘｙ  ＣＳＣＦ）へと送信される（Ｐ−ＣＳＣＦはＶｅＭＳＣに含まれて動作することも可能である）。ＳＩＰ信号はＳ−ＣＳＣＦにおけるｉＦＣｓ（ｉｎｔｅｒ  Ｆｉｌｔｅｒ  Ｃｒｉｔｅｒｉａ）の設定によりＴＡＳへ送られる。呼信号はＴＡＳが基点となって制御される。その後、ＴＡＳは付加サービス制御を担う。既存の方法では、付加サービス要求が端末からＡ／Ｉｕインタフェースを経由してＭＳＣへ送信される。ＶｅＭＳＣ−Ｓｅｒｖｅｒは付加サービス要求をＳＩＰ信号へ組み込むか、翻訳し、ＴＡＳへ送信する。ＴＡＳは付加サービス要求を受け、その要求に応じて実行する。この解決法の利点は、ＶＣＣのような解決法と比較して、既存端末がサポートされ、ＣＡＭＥＬが要求されないことである。したがって、Ａｌｌ−ＩＰ化への移行に際し、ＭＳＣ−Ｓｅｒｖｅｒへの小さな影響のみで、既存端末への影響がない。
【００８１】
これに加えて、ユーザのＩＰネットワークでの存在場所は在圏網のＭＧＷにあるので、どんなＩＭＳシステムでの相手への音声通信もホーム網を横切らずに直接送信される。この網構成は、ＩＭＳでの呼制御方法がより普及した時に、ネットワーク資源の削減という観点で、端末から見て、ホーム網の運営者と在圏網の運営者との両方への多数の利点が見込まれる。対して、ＶＣＣでの解決法の場合、常に全ての音声通信には在圏網及びホーム網各々の通信路が要求される。
【００８２】
ｅＭＳＣ−Ｓｅｒｖｅｒの詳細なアーキテクチャの一例を図１４に示す。ｅＭＳＣ−Ｓｅｒｖｅｒは、通常のＭＳＣ−Ｓｅｒｖｅｒ、ＶＬＲ及びＵｓｅｒ  Ａｇｅｎｔ（以下、ＵＡとする）をともなったＭＧＣＦ機能からなる。最小限のＶＬＲ及びＨＬＲへの影響として、ＭＡＰプロトコルにおいて指標の追加が必要である。ＨＬＲは端末がホーム網によりＩＭＳでの集中制御処理によって扱われることを示す必要があり、ＶＬＲはそれを示すフラグを解釈する必要がある。ＭＧＷはＩＭＳでの着信側と同様に、ＣＳ接続の着信側になることを可能とすることが要求される。Ｍｃ及びＭｎインタフェースは新たな一つのインタフェースへ組み合わせることも可能である。
【００８３】
図１５はｅＭＳＣ−Ｓｅｒｖｅｒをサポートし、現存しているＣＳ  ｎｅｔｗｏｒｋからＡＩＰＮ（Ａｌｌ  ＩＰ  Ｎｅｔｗｏｒｋ）への移行の一例を示している。運用者は、ＩＭＳシステムの容量に応じてＩＭＳでの集中処理を許容する顧客のプロファイルを調整することで、ＣＳ網からＩＭＳ（ＩＰ網）へのスムーズな移行を実現することができる。
【符号の説明】
【００８４】
１  拡張通信装置
２  ＭＧＷ
３  移動端末
４  Ｉ−ＣＳＣＦ
５  Ｓ−ＣＳＣＦ
６  ＨＬＲ／ＨＳＳ
７  付加サービスＡＳ
８  Ｐ−ＣＳＣＦ
１１  ＭＳＣ／ＶＬＲ部
１２  回線交換ＵＡ部
１３  ＭＥＧＡＣＯ信号処理部
７１  ＳＩＰ  Ｕｓｅｒ  Ａｇｅｎｔ
７２  付加サービス管理ＳＳ処理部
７３  ＳＩＰ信号処理部
７４  Ｄｉａｍｅｔｅｒ信号処理部
１００  在圏網
１１１  ＧＳＭ  Ｌａｙｅｒ  ３信号処理部
１１２  ＭＳＣ制御部
１１３  ＩＳＵＰ信号処理部
１１４  ＭＡＰ／ＣＡＰ信号処理部
１２１  ＳＩＰ  Ｕｓｅｒ  Ａｇｅｎｔ部
１２２  ＳＩＰ信号処理部
２００  ホーム網
３００  ＩＰ網
１１２１  呼状態管理ＣＣ処理部
１１２２  位置登録管理ＭＭ処理部
１１２３  付加サービス管理ＳＳ処理部
【図１】
0005304874.tif 000002
【図２】
0005304874.tif 000003
【図３】
0005304874.tif 000004
【図４】
0005304874.tif 000005
【図５】
0005304874.tif 000006
【図６】
0005304874.tif 000007
【図７】
0005304874.tif 000008
【図８】
0005304874.tif 000009
【図９】
0005304874.tif 000010
【図１０】
0005304874.tif 000011
【図１１】
0005304874.tif 000012
【図１２】
0005304874.tif 000013
【図１３】
0005304874.tif 000014
【図１４】
0005304874.tif 000015
【図１５】
0005304874.tif 000016